(57)【要約】【課題】ケーシング内部の排水性を維持しつつ、清掃性の向上を可能とする衛生洗浄装置を提供する。【解決手段】衛生洗浄装置において、下部ケースと、前記下部ケースを覆う上部ケースと、を有するケーシングと、前記ケーシング内に収納され、洗浄水で人体局部を洗浄する洗浄部と、を備え、前記下部ケースは、上面が後方から前方に向けて下方に傾斜した第１傾斜部と、前記第１傾斜部の前方に設けられ、上面が前方から後方に向けて下方に傾斜した第２傾斜部と、前記第１傾斜部と前記第２傾斜部とによって形成された第１排水経路上の水を排出するための第１排水孔と、を有することを特徴とする。【選択図】図１
2017115363.tif 000002
【特許請求の範囲】
【請求項１】
下部ケースと、前記下部ケースを覆う上部ケースと、を有するケーシングと、
前記ケーシング内に収納され、洗浄水で人体局部を洗浄する洗浄部と、
を備え、
前記下部ケースは、
上面が後方から前方に向けて下方に傾斜した第１傾斜部と、
前記第１傾斜部の前方に設けられ、上面が前方から後方に向けて下方に傾斜した第２傾斜部と、
前記第１傾斜部と前記第２傾斜部とによって形成された第１排水経路上の水を排出するための第１排水孔と、
を有することを特徴とする衛生洗浄装置。
【請求項２】
前記第１排水経路は、前記第１排水孔に向けて直線的に形成されていることを特徴とする請求項１記載の衛生洗浄装置。
【請求項３】
前記第１傾斜部は、
第１部分と、
上面における傾きが前記第１部分よりも大きく、前記第１部分の前方に設けられた第２部分と、
を有することを特徴とする請求項１または２に記載の衛生洗浄装置。
【請求項４】
前記下部ケースは、
前記第２傾斜部の前方に設けられた第３傾斜部と、
第２排水孔と、
をさらに有し、
前記第３傾斜部の上面は、前方から後方に向けて下方に傾斜し、
前記第２傾斜部と前記第３傾斜部との間に段差が形成され、
前記第３傾斜部と前記段差とによって形成された第２排水経路上の水は、前記第２排水孔を通して排出されることを特徴とする請求項１〜３のいずれか１つに記載の衛生洗浄装置。
【請求項５】
前記下部ケースは、
前記第２傾斜部の前方に設けられた第３傾斜部と、
第２排水孔と、
をさらに有し、
前記第３傾斜部の上面は、後方から前方に向けて下方に傾斜し、
前記第３傾斜部と前記下部ケースの内壁とによって形成された第２排水経路上の水は、前記第２排水孔を通して排出されることを特徴とする請求項１〜３のいずれか１つに記載の衛生洗浄装置。
【請求項６】
前記第１排水孔は、前記下部ケースの左右中央側に設けられ、
前記第１傾斜部および前記第２傾斜部は、さらに側方から前記中央側に向けて下方に傾斜していることを特徴とする請求項１〜５のいずれか１つに記載の衛生洗浄装置。
【請求項７】
前記下部ケースは、第４傾斜部をさらに有し、
前記第１排水経路は、前記第１排水孔と前記第４傾斜部との間に形成され、
前記第４傾斜部の上面は、前記第１傾斜部および前記第２傾斜部に向けて下方に傾斜し、
前記第４傾斜部の前記上面は、前記第１傾斜部の前記上面および前記第２傾斜部の前記上面よりも上方に位置していることを特徴とする請求項１〜６のいずれか１つに記載の衛生洗浄装置。
【請求項８】
前記第４傾斜部の前記上面における傾きは、前記第１傾斜部の前記上面における傾きよりも大きく、前記第２傾斜部の前記上面における傾きよりも大きいことを特徴とする請求項７記載の衛生洗浄装置。
【請求項９】
前記下部ケースは、第５傾斜部をさらに有し、
前記第５傾斜部は、前記第１傾斜部と前記第１排水孔との間および前記第２傾斜部と前記第１排水孔との間の少なくともいずれかに設けられ、
前記第５傾斜部の上面は、前記第１排水孔に向けて下方に傾斜し、
前記第５傾斜部の前記上面は、前記第１傾斜部の前記上面および前記第２傾斜部の前記上面よりも下方に位置し、
前記第５傾斜部の前記上面における傾きは、前記第１傾斜部の前記上面における傾きよりも大きく、前記第２傾斜部の前記上面における傾きよりも大きいことを特徴とする請求項１〜８のいずれか１つに記載の衛生洗浄装置。
【請求項１０】
前記下部ケースは、第６傾斜部をさらに有し、
前記第６傾斜部は、前記第３傾斜部と前記第２排水孔との間に設けられ、
前記第６傾斜部の上面は、前記第２排水孔に向けて下方に傾斜し、
前記第６傾斜部の前記上面は、前記第３傾斜部の前記上面よりも下方に位置し、
前記第６傾斜部の前記上面における傾きは、前記第３傾斜部の前記上面における傾きよりも大きいことを特徴とする請求項４または５に記載の衛生洗浄装置。
【請求項１１】
下部ケースと、前記下部ケースを覆う上部ケースと、を有するケーシングと、
前記ケーシング内に収納され、洗浄水で人体局部を洗浄する洗浄部と、
を備え、
前記下部ケースは、
上面が後方から前方に向けて下方に傾斜した第１傾斜部と、
前記第１傾斜部の前方に設けられ、上面が後方から前方に向けて下方に傾斜した第２傾斜部と、
排水孔と、
を有し、
前記第１傾斜部と前記第２傾斜部との間には段差が設けられ、
前記第１傾斜部と前記段差とによって形成された排水経路上の水は、前記排水孔を通して排出されることを特徴とする衛生洗浄装置。
【請求項１２】
下部ケースと、前記下部ケースを覆う上部ケースと、を有するケーシングと、
前記ケーシング内に収納され、洗浄水で人体局部を洗浄する洗浄部と、
を備え、
前記下部ケースは、
上面が前方から後方に向けて下方に傾斜した第１傾斜部と、
前記第１傾斜部の前方に設けられ、上面が前方から後方に向けて下方に傾斜した第２傾斜部と、
排水孔と、
を有し、
前記第１傾斜部と前記第２傾斜部との間には段差が形成され、
前記第２傾斜部と前記段差とによって形成された排水経路上の水は、前記排水孔を通して排出されることを特徴とする衛生洗浄装置。
【発明の詳細な説明】
【技術分野】
【０００１】
本発明の態様は、一般的に、衛生洗浄装置に関する。
【背景技術】
【０００２】
トイレに取り付けられる衛生洗浄装置において、ケーシングの内部で結露が生じることがある。結露によって生じた水滴は、ケーシングの下部に滴下して溜まっていく。ケーシングの下部に水が溜まり続けると、いずれケーシングの隙間から水が漏れ、漏水が発生する。この課題に対して、特許文献１に開示された技術では、ケーシングの底面を傾斜させ、底面に溜まった水をドレイン孔から排出している。
【先行技術文献】
【特許文献】
【０００３】
【特許文献１】特許第２５２１９８０号明細書
【発明の概要】
【発明が解決しようとする課題】
【０００４】
しかし、特許文献１の構造によれば、ケーシングの底面に、傾斜による高低差が生ずる。底面の高低差が大きくなると、その高低差に応じてケーシングの裏面の段差も大きくなり、清掃性が低下してしまう。
この課題に対して、ケーシングの裏面を平坦にした上で、底面を傾斜させることも考えられる。しかし、この場合、ケーシング厚みが、場所により異なることとなる。ケーシングの厚みが場所ごとに大きく異なると、ケーシングの成型に際してヒケやショートが発生しやすくなり、衛生洗浄装置の生産性が低下してしまう。
【０００５】
本発明は、かかる課題の認識に基づいてなされたものであり、ケーシング内部の排水性を維持しつつ、清掃性の向上を可能とする衛生洗浄装置を提供することを目的とする。
【課題を解決するための手段】
【０００６】
第１の発明は、下部ケースと、前記下部ケースを覆う上部ケースと、を有するケーシングと、前記ケーシング内に収納され、洗浄水で人体局部を洗浄する洗浄部と、を備え、前記下部ケースは、上面が後方から前方に向けて下方に傾斜した第１傾斜部と、前記第１傾斜部の前方に設けられ、上面が前方から後方に向けて下方に傾斜した第２傾斜部と、前記第１傾斜部と前記第２傾斜部とによって形成された第１排水経路上の水を排出するための第１排水孔と、を有することを特徴とする衛生洗浄装置である。
【０００７】
この衛生洗浄装置によれば、下部ケースの上面が一方向に一様に傾斜している場合に比べて、下部ケースの上面における最高点と最低点との高低差を小さくし、ケーシングの裏面の段差を小さくすることができる。このため、ケーシング内部における排水性を維持したまま、衛生洗浄装置の清掃性を向上させることが可能となる。
【０００８】
第２の発明は、第１の発明において、前記第１排水経路は、前記第１排水孔に向けて直線的に形成されていることを特徴とする衛生洗浄装置である。
【０００９】
この衛生洗浄装置によれば、第１排水経路上の水が第１排水孔に向けて流れやすくなり、ケーシング内部の排水性を向上させることができる。
【００１０】
第３の発明は、第１または第２の発明において、前記第１傾斜部は、第１部分と、上面における傾きが前記第１部分よりも大きく、前記第１部分の前方に設けられた第２部分と、を有することを特徴とする衛生洗浄装置である。
【００１１】
この衛生洗浄装置によれば、第１傾斜部の上の水が、より第１排水経路に向けて流れやすくなるとともに、第２傾斜部から第１排水経路に流れた水が、第１傾斜部の上に流れることを抑制できる。
【００１２】
第４の発明は、第１〜第３のいずれかの発明において、前記下部ケースは、前記第２傾斜部の前方に設けられた第３傾斜部と、第２排水孔と、をさらに有し、前記第３傾斜部の上面は、前方から後方に向けて下方に傾斜し、前記第２傾斜部と前記第３傾斜部との間に段差が形成され、前記第３傾斜部と前記段差とによって形成された第２排水経路上の水は、前記第２排水孔を通して排出されることを特徴とする衛生洗浄装置である。
【００１３】
この衛生洗浄装置によれば、ケーシング内部における排水性を維持したまま、下部ケースの上面における最高点と最低点との高低差を小さくし、衛生洗浄装置の清掃性をさらに向上させることが可能となる。
【００１４】
第５の発明は、第１〜第３のいずれかの発明において、前記下部ケースは、前記第２傾斜部の前方に設けられた第３傾斜部と、第２排水孔と、をさらに有し、前記第３傾斜部の上面は、後方から前方に向けて下方に傾斜し、前記第３傾斜部と前記下部ケースの内壁とによって形成された第２排水経路上の水は、前記第２排水孔を通して排出されることを特徴とする衛生洗浄装置である。
【００１５】
この衛生洗浄装置によれば、ケーシング内部における排水性を維持したまま、下部ケースの上面における最高点と最低点との高低差を小さくし、衛生洗浄装置の清掃性をさらに向上させることが可能となる。
【００１６】
第６の発明は、第１〜第５のいずれかの発明において、前記第１排水孔は、前記下部ケースの左右中央側に設けられ、前記第１傾斜部および前記第２傾斜部は、さらに側方から中央側に向けて下方に傾斜していることを特徴とする衛生洗浄装置である。
【００１７】
この衛生洗浄装置によれば、第１傾斜部および第２傾斜部の上の水が、第１排水孔に向けてより流れやすくなり、ケーシング内部の排水性を向上させることができる。
【００１８】
第７の発明は、第１〜第６のいずれかの発明において、前記下部ケースは、第４傾斜部をさらに有し、前記第１排水経路は、前記第１排水孔と前記第４傾斜部との間に形成され、前記第４傾斜部の上面は、前記第１傾斜部および前記第２傾斜部に向けて下方に傾斜し、前記第４傾斜部の前記上面は、前記第１傾斜部の前記上面および前記第２傾斜部の前記上面よりも上方に位置していることを特徴とする衛生洗浄装置である。
【００１９】
この衛生洗浄装置によれば、第１傾斜部および第２傾斜部の上に溜まった水が、下部ケースと上部ケースとの隙間から漏れる可能性を低減することができる。
【００２０】
第８の発明は、第７の発明において、前記第４傾斜部の前記上面における傾きは、前記第１傾斜部の前記上面における傾きよりも大きく、前記第２傾斜部の前記上面における傾きよりも大きいことを特徴とする衛生洗浄装置である。
【００２１】
この衛生洗浄装置によれば、第７の発明に比べて、より確実に、下部ケースと上部ケースとの隙間からの漏水を防ぐことができる。
【００２２】
第９の発明は、第１〜第８のいずれかの発明において、前記下部ケースは、第５傾斜部をさらに有し、前記第５傾斜部は、前記第１傾斜部と前記第１排水孔との間および前記第２傾斜部と前記第１排水孔との間の少なくともいずれかに設けられ、前記第５傾斜部の上面は、前記第１排水孔に向けて下方に傾斜し、前記第５傾斜部の前記上面は、前記第１傾斜部の前記上面および前記第２傾斜部の前記上面よりも下方に位置し、前記第５傾斜部の前記上面における傾きは、前記第１傾斜部の前記上面における傾きよりも大きく、前記第２傾斜部の前記上面における傾きよりも大きいことを特徴とする衛生洗浄装置である。
【００２３】
この衛生洗浄装置によれば、第１排水経路上の水が、より第１排水孔に向けて流れやすくなり、ケーシング内部の排水性を向上させることができる。
【００２４】
第１０の発明は、第４または第５の発明において、前記下部ケースは、第６傾斜部をさらに有し、前記第６傾斜部は、前記第３傾斜部と前記第２排水孔との間に設けられ、前記第６傾斜部の上面は、前記第２排水孔に向けて下方に傾斜し、前記第６傾斜部の前記上面は、前記第３傾斜部の前記上面よりも下方に位置し、前記第６傾斜部の前記上面における傾きは、前記第３傾斜部の前記上面における傾きよりも大きいことを特徴とする衛生洗浄装置である。
【００２５】
この衛生洗浄装置によれば、第２排水経路上の水が、より第２排水孔に向けて流れやすくなり、ケーシング内部の排水性を向上させることができる。
【００２６】
第１１の発明は、下部ケースと、前記下部ケースを覆う上部ケースと、を有するケーシングと、前記ケーシング内に収納され、洗浄水で人体局部を洗浄する洗浄部と、を備え、前記下部ケースは、上面が後方から前方に向けて下方に傾斜した第１傾斜部と、前記第１傾斜部の前方に設けられ、上面が後方から前方に向けて下方に傾斜した第２傾斜部と、排水孔と、を有し、前記第１傾斜部と前記第２傾斜部との間には段差が設けられ、前記第１傾斜部と前記段差とによって形成された排水経路上の水は、前記排水孔を通して排出されることを特徴とする衛生洗浄装置である。
【００２７】
この衛生洗浄装置によれば、下部ケースの上面が一方向に一様に傾斜している場合に比べて、下部ケースの上面における最高点と最低点との高低差を小さくし、ケーシングの裏面の段差を小さくすることができる。このため、ケーシング内部における排水性を維持したまま、衛生洗浄装置の清掃性を向上させることが可能となる。
【００２８】
第１２の発明は、下部ケースと、前記下部ケースを覆う上部ケースと、を有するケーシングと、前記ケーシング内に収納され、洗浄水で人体局部を洗浄する洗浄部と、を備え、前記下部ケースは、上面が前方から後方に向けて下方に傾斜した第１傾斜部と、前記第１傾斜部の前方に設けられ、上面が前方から後方に向けて下方に傾斜した第２傾斜部と、排水孔と、を有し、前記第１傾斜部と前記第２傾斜部との間には段差が形成され、前記第２傾斜部と前記段差とによって形成された排水経路上の水は、前記排水孔を通して排出されることを特徴とする衛生洗浄装置である。
【００２９】
この衛生洗浄装置によれば、下部ケースの上面が一方向に一様に傾斜している場合に比べて、下部ケースの上面における最高点と最低点との高低差を小さくし、ケーシングの裏面の段差を小さくすることができる。このため、ケーシング内部における排水性を維持したまま、衛生洗浄装置の清掃性を向上させることが可能となる。
【発明の効果】
【００３０】
本発明の態様によれば、ケーシング内部の排水性を維持しつつ、清掃性の向上を可能とする衛生洗浄装置が提供される。
【図面の簡単な説明】
【００３１】
【図１】第１実施形態に係る衛生洗浄装置を備えたトイレ装置を表す斜視図である。
【図２】第１実施形態に係る衛生洗浄装置が有するケーシングの側面図である。
【図３】第１実施形態に係る衛生洗浄装置が有するケーシングの内部構成を表す平面図である。
【図４】第１実施形態に係る衛生洗浄装置が有する下部ケースを表す平面図である。
【図５】図４の部分Ａを拡大した拡大平面図である。
【図６】図４の部分Ａを拡大した拡大平面図である。
【図７】図５のＢ−Ｂ’断面図である。
【図８】（ａ）図５のＣ−Ｃ’断面図である。（ｂ）図５のＤ−Ｄ’断面図である。
【図９】第２実施形態に係る衛生洗浄装置が有する下部ケースを表す平面図である。
【図１０】図９のＡ−Ａ’断面図である。
【図１１】第３実施形態に係る衛生洗浄装置が有する下部ケースを表す平面図である。
【図１２】図１０のＡ−Ａ’断面図である。
【発明を実施するための形態】
【００３２】
以下、本発明の実施の形態について図面を参照しつつ説明する。なお、各図面中、同様の構成要素には同一の符号を付して詳細な説明は適宜省略する。  
【００３３】
（第１実施形態）
図１は、第１実施形態に係る衛生洗浄装置を備えたトイレ装置を表す斜視図である。  
図１に表したトイレ装置は、洋式腰掛便器（以下、単に「便器」と称する）８００と、その上に設けられた衛生洗浄装置１００と、を備える。衛生洗浄装置１００は、便座２００と、便蓋３００と、ケーシング４００と、を有する。便座２００および便蓋３００は、それぞれケーシング４００に対して回動自在に軸支されている。
【００３４】
なお、本願明細書においては、各実施形態の説明のために、「方向」を用いる。これらの「方向」は、全て、便座２００に着座した使用者からみた場合の方向を表している。例えば、便座２００に着座した使用者からみて前方を「前方」とし、便座２００に着座した使用者からみて右側方を「右側方」としている。
【００３５】
ケーシング４００の内部には、便座２００に座った使用者の「おしり」などを洗浄するための局部洗浄機能部などが内蔵されている。また、例えばケーシング４００の内部には、トイレ室への使用者の入室を検知する入室検知センサ４７１や、便座２００への使用者の着座を検知する着座検知センサ４７２が設けられている。ケーシング４００の内部には、さらに他のセンサが設けられていてもよい。
【００３６】
着座検知センサ４７２が便座２００に座った使用者を検知している状態で、使用者がリモコンなどの操作部５００を操作すると、ノズル４７３を便器８００のボウル８０１内に進出させることができる。なお、図１に表した衛生洗浄装置１００では、ノズル４７３がボウル８０１内に進出した状態を表している。ノズル４７３の進退は、モータによる駆動力などの任意の手段によって行われる。
【００３７】
ノズル４７３の先端部には、ひとつあるいは複数の吐水口４７４が設けられている。そして、ノズル４７３は、その先端部に設けられた吐水口４７４から水や温水を噴射して、便座２００に座った使用者の「おしり」などを洗浄することができる。洗浄終了後は、ノズル４７３は、ケーシング４００の内部に収納される。
【００３８】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。
【００３９】
図２は、第１実施形態に係る衛生洗浄装置が有するケーシングの側面図である。
図２では、便座２００および便蓋３００が閉じられた状態が表されている。
【００４０】
図２に表すように、ケーシング４００は、下部ケース４１０と、上部ケース４５０と、を有する。上部ケース４５０は、下部ケース４１０の上方に、下部ケース４１０を覆うように設けられる。下部ケース４１０と上部ケース４５０は、内部に空間を形成するように、それぞれの周囲において互いに嵌合している。
【００４１】
図３は、第１実施形態に係る衛生洗浄装置が有するケーシングの内部構成を表す平面図である。  
図３に表すように、衛生洗浄装置１００において、ケーシング４００の内部には、給水部１０と、給湯部２０と、水側バルブユニット１５と、湯側バルブユニット２５と、ミキシングバルブ３０と、ノズル部４７０と、が設けられている。これらは、ケーシング４００の下部ケース４１０の上に載置されている。なお、図３では、説明の便宜上、ケーシング４００内部の一部の要素を省略している。
【００４２】
給水部１０は、水道や貯水タンクなどの給水源と、不図示の配管を介して接続される。これにより、衛生洗浄装置１００に水が供給される。給水部１０の下流側には、水側バルブユニット１５が設けられる。水側バルブユニット１５は、不図示の電磁弁および調圧弁を有する。水側バルブユニット１５の下流側には、ミキシングバルブ３０が設けられる。
【００４３】
一方、給湯部２０は、湯が貯められたタンクなどの給湯源と、不図示の配管を介して接続される。これにより、衛生洗浄装置１００に湯が供給される。給湯部２０の下流側には、湯側バルブユニット２５が設けられる。湯側バルブユニット２５は、不図示の電磁弁および調圧弁を有する。湯側バルブユニット２５の下流側には、ミキシングバルブ３０が設けられる。
【００４４】
給水部１０から供給された水と給湯部２０から供給された湯は、ミキシングバルブ３０で混合され、温水が生成される。生成された温水は、ノズル部４７０へ供給される。実施形態においては、ミキシングバルブ３０は、温水の温度を自動で調整することができる。
【００４５】
なお、ケーシング４００の内部構造は、衛生洗浄装置１００が備える機能に応じて適宜変更可能である。例えば、図３では、湯が給湯源から供給される場合における、ケーシング４００の内部構造を表している。本実施形態は、この例に限られず、例えば供給された水をケーシング４００の内部で加熱して温水を生成し、この温水をノズル部４７０に供給する場合にも適用することが可能である。
【００４６】
図４は、第１実施形態に係る衛生洗浄装置が有する下部ケースを表す平面図である。
図５および図６は、図４の部分Ａを拡大した拡大平面図である。
なお、図４〜図６では、下部ケース４１０の上に設けられた要素は全て省略されている。また、図５では、下部ケース４１０が含む各要素を表している。図６では、下部ケース４１０が有する各要素の上面における勾配を細い矢印で表し、下部ケース４１０における主な排水経路を白抜きの太い矢印で表している。
【００４７】
図４〜図６に表すように、ケーシング４００の下部ケース４１０は、その右側方において、第１傾斜部４１１と、第２傾斜部４１２と、第３傾斜部４１３と、第４傾斜部４１４と、第５傾斜部４１５と、第６傾斜部４１６と、排水孔４２０と、排水孔４２１と、を有する。
【００４８】
まず、下部ケース４１０が有する各要素の配置について、図５を参照して説明する。
第２傾斜部４１２は、第１傾斜部４１１の前方に設けられている。第３傾斜部４１３は、第２傾斜部４１２の前方に設けられている。
【００４９】
第４傾斜部４１４は、第１傾斜部４１１、第２傾斜部４１２、および第３傾斜部４１３の右側方に設けられている。また、排水孔４２０および排水孔４２１は、第１傾斜部４１１、第２傾斜部４１２、および第３傾斜部４１３よりも、下部ケース４１０の左右方向における中央側に設けられている。このため、第１傾斜部４１１および第２傾斜部４１２は、第４傾斜部４１４と排水孔４２０との間に位置している。第３傾斜部４１３は、第４傾斜部４１４と排水孔４２１との間に位置している。
【００５０】
第５傾斜部４１５は、第２傾斜部４１２と排水孔４２０との間に設けられている。ただし、第５傾斜部４１５は、第１傾斜部４１１と排水孔４２０との間に設けられていてもよい。すなわち、第５傾斜部４１５は、第１傾斜部４１１および第２傾斜部４１２の少なくとも一方と、排水孔４２０と、の間に設けられる。
第６傾斜部４１６は、第３傾斜部４１３と排水孔４２１との間に設けられている。
【００５１】
次に、下部ケース４１０が有する各傾斜部の上面における傾きと、下部ケース４１０の上面における主な排水経路について、図６〜図８を参照して説明する。
図７は、図５のＢ−Ｂ’断面図である。
図８（ａ）は、図５のＣ−Ｃ’断面図であり、図８（ｂ）は、図５のＤ−Ｄ’断面図である。
なお、図７および図８の断面図では、切断面の構造のみが表されている。
【００５２】
図６および図７に表すように、第１傾斜部４１１の上面は、後方から前方に向けて下方に傾斜している。第２傾斜部４１２の上面は、前方から後方に向けて下方に傾斜している。第１傾斜部４１１および第２傾斜部４１２により、これらの部分の間に窪みが形成され、排水経路ａが形成されている。
【００５３】
ケーシング４００の内部には、例えば給水部１０とミキシングバルブ３０との間の配管など、ノズル部４７０へ洗浄水を供給するための配管が設けられている。ケーシング４００内部の蒸気が、この配管の表面やケーシング４００の内壁で冷却されると、水滴が生じ、下部ケース４１０の上に滴下する。
【００５４】
第１傾斜部４１１および第２傾斜部４１２の上に滴下した水は、これらの上面の傾斜に沿って排水経路ａに向けて流れ、排水経路ａを流れることで、排水孔４２０を通して排出される。排水孔４２０を通った水は、例えば、ボウル８０１に捨てられる。
【００５５】
第１傾斜部４１１の上面および第２傾斜部４１２の上面は、前後方向における傾斜に加えて、さらに、側方から下部ケース４１０の中央側に向けて下方に傾斜している。換言すると、第１傾斜部４１１の上面および第２傾斜部４１２の上面は、さらに、右側方から排水孔４２０に向けて下方に傾斜している。
【００５６】
また、第１傾斜部４１１は、第１部分４１１ａおよび第２部分４１１ｂを有する。第２部分４１１ｂは、第１部分４１１ａの前方に設けられており、第２部分４１１ｂは、第１部分４１１ａと第２傾斜部４１２との間に位置している。第１部分４１１ａおよび第２部分４１１ｂは、ともに後方から前方に向けて下方に傾斜しており、第２部分４１１ｂの上面の傾きは、第１部分４１１ａの上面の傾きよりも大きい。
【００５７】
第３傾斜部４１３の上面は、前方から後方に向けて下方に傾斜している。また、第２傾斜部４１２の上面の前方端部は、第３傾斜部４１３の上面の後方端部よりも、上方に位置している。このため、第２傾斜部４１２と第３傾斜部４１３との間には段差が設けられている。この段差と第２傾斜部４１２における傾斜とにより、第２傾斜部４１２と第３傾斜部４１３との間に窪みが形成され、排水経路ｂが形成されている。第３傾斜部４１３の上に滴下した水は、第３傾斜部４１３の上面の傾斜に沿って排水経路ｂに向けて流れ、排水経路ｂを流れることで、排水孔４２１を通して排出される。排水孔４２１を通った水は、例えば、ボウル８０１に捨てられる。
【００５８】
第３傾斜部４１３の上面は、前方から後方に向かう傾斜に加えて、さらに、側方から中央側に向けて下方に傾斜している。換言すると、第３傾斜部４１３の上面は、さらに、右側方から排水孔４２１に向けて下方に傾斜している。
【００５９】
図６、図８（ａ）、および図８（ｂ）に表すように、第４傾斜部４１４の上面は、右側方から中央に向けて下方に傾斜している。すなわち、第４傾斜部４１４の上面は、第１傾斜部４１１〜第３傾斜部４１３に向けて下方に傾斜している。第４傾斜部４１４の上面の傾きは、第１傾斜部４１１〜第３傾斜部４１３のそれぞれの上面の傾きよりも大きい。また、第４傾斜部４１４の上面は、第１傾斜部４１１〜第３傾斜部４１３のそれぞれの上面よりも上方に位置している。このため、第４傾斜部４１４の上に滴下した水は、第１傾斜部４１１〜第３傾斜部４１３のいずれかに向けて流れ、排水経路ａまたはｂを流れる。
【００６０】
図６および図８（ａ）に表すように、第５傾斜部４１５の上面は、右側方から中央に向けて（第２傾斜部４１２から排水孔４２０に向けて）下方に傾斜している。第５傾斜部４１５の上面の傾きは、第１傾斜部４１１および第２傾斜部４１２のそれぞれの上面の傾きよりも大きい。また、第５傾斜部４１５の上面は、第１傾斜部４１１および第２傾斜部４１２のそれぞれの上面よりも下方に位置している。このため、排水経路ａを流れてきた水は、第５傾斜部４１５の上を通過して排水孔４２０から排出される。
【００６１】
図６および図８（ｂ）に表すように、第６傾斜部４１６の上面は、右側方から中央に向けて（第３傾斜部４１３から排水孔４２０に向けて）下方に傾斜している。第６傾斜部４１６の上面の傾きは、第３傾斜部４１３の上面の傾きよりも大きい。また、第６傾斜部４１６の上面は、第３傾斜部４１３の上面よりも下方に位置している。このため、排水経路ｂを流れてきた水は、第６傾斜部４１６の上を通過して排水孔４２１から排出される。
【００６２】
ここで、各傾斜部の上面における傾きの具体例を示す。なお、これらの数値は一例であり、各傾斜部の上面における傾きは、適宜変更可能である。
第１傾斜部４１１の上面は、後方から前方に向けて下方に約２°傾斜している。また、第１傾斜部４１１の上面は、右側方から中央に向けて下方に約１°傾斜している。
第２傾斜部４１２の上面および第３傾斜部４１３の上面は、前方から後方に向けて下方に約２°傾斜している。また、これらの傾斜部の上面は、右側方から中央に向けて下方に約１°傾斜している。
第４傾斜部４１４の上面は、右側方から中央に向けて下方に約６４°傾斜している。
第５傾斜部４１５の上面および第６傾斜部４１６の上面は、右側方から中央に向けて下方に約１４°傾斜している。
【００６３】
本実施形態に係る衛生洗浄装置１００では、上述したように、ケーシング４００の下部ケース４１０が、第１傾斜部４１１および第２傾斜部４１２を有し、これらの傾斜部の上面が、互いに対向する方向に下方に傾斜している。このため、下部ケース４１０の上面が一方向に一様に傾斜している場合に比べて、下部ケース４１０の上面における最高点と最低点との高低差を小さくし、ケーシング４００の裏面の段差を小さくすることができる。
従って、本実施形態によれば、ケーシング４００内部における排水性を維持したまま、ケーシング４００の裏面の段差を小さくし、衛生洗浄装置の清掃性を向上させることが可能となる。
あるいは、本実施形態によれば、ケーシング４００の裏面を平坦に形成した場合であっても、下部ケース４１０の上面が一方向に一様に傾斜している場合に比べて、下部ケース４１０上面の最高点における厚みと、最低点における厚みと、の差を小さくすることができる。このため、ケーシング４００内部における排水性を維持したまま、ケーシング４００を成型する際のヒケやショートの発生を抑制することができ、衛生洗浄装置の生産性を向上させることが可能となる。
【００６４】
このとき、第１傾斜部４１１と第２傾斜部４１２とによって形成される排水経路ａは、排水孔４２０に向けて直線状であることが望ましい。排水経路ａが排水孔４２０に向けて直線的に形成されていることで、排水孔４２０に向けて水が流れやすくなり、ケーシング４００内部の排水性を向上させることができる。
【００６５】
また、第１傾斜部４１１の上面および第２傾斜部４１２の上面は、前後方向に傾斜するとともに、さらに、側方から中央側に向けて下方に傾斜している。このような構成によれば、第１傾斜部４１１および第２傾斜部４１２に滴下した水が、排水孔４２０に向けてより流れやすくなり、ケーシング４００内部の排水性を向上させることができる。
【００６６】
さらに、第１傾斜部４１１は、第１部分４１１ａと、第１部分４１１ａよりも上面の傾斜が大きい第２部分４１１ｂと、を有する。このような構成によれば、第１傾斜部４１１の上に滴下した水が、より排水経路ａに向けて流れやすくなる。また、第２傾斜部４１２から排水経路ａに流れた水が、第１傾斜部４１１の上に流れることを抑制できる。
【００６７】
また、第２傾斜部４１２の前方には、第３傾斜部４１３が設けられている。そして、第２傾斜部４１２と第３傾斜部４１３との間には段差が形成され、排水経路ｂが形成されている。このような構成によれば、ケーシング４００内部における排水性を維持したまま、下部ケース４１０の上面における最高点と最低点との高低差を小さくすることができる。すなわち、ケーシング４００内部における排水性を維持したまま、衛生洗浄装置の清掃性をさらに向上させることが可能となる。
【００６８】
なお、第３傾斜部４１３は、図４および図５に表す例に限られず、後方から前方に向かって下方に傾斜していてもよい。この場合、ケーシング４００の前方の側壁に沿って排水経路ｂが形成される。ただし、第３傾斜部４１３を、前方から後方に向かって傾斜させることで、ケーシング４００の側壁と排水経路との間の距離を長くし、下部ケース４１０と上部ケース４５０との隙間から水が漏れる可能性を低減することが可能となる。
【００６９】
また、第３傾斜部４１３の上面は、前後方向に傾斜するとともに、さらに、側方から中央側に向けて下方に傾斜している。このような構成によれば、第３傾斜部４１３の上に滴下した水が、排水孔４２１に向けてより流れやすくなり、ケーシング４００内部の排水性を向上させることができる。
【００７０】
加えて、第１傾斜部４１１〜第３傾斜部４１３の側方には、第４傾斜部４１４が設けられている。第４傾斜部４１４を設けることで、第１傾斜部４１１〜第３傾斜部４１３の上に溜まった水が、右側方における下部ケース４１０と上部ケース４５０との隙間から漏れる可能性を低減することができる。このとき、第４傾斜部４１４の上面の傾きを、他の傾斜部の上面における傾きよりも大きくすることで、より確実に、下部ケース４１０と上部ケース４５０との隙間からの漏水を防ぐことができる。
【００７１】
また、第１傾斜部４１１および第２傾斜部４１２の少なくとも一方と、排水孔４２０と、の間には、第５傾斜部４１５が設けられている。第５傾斜部４１５を設けることで、排水経路ａ上の水が、より排水孔４２０に向けて流れやすくなり、ケーシング４００内部の排水性を向上させることができる。
同様に、第３傾斜部４１３と排水孔４２１との間には、第６傾斜部４１６が設けられている。第６傾斜部４１６を設けることで、排水経路ｂ上の水が、より排水孔４２１に向けて流れやすくなり、ケーシング４００内部の排水性を向上させることができる。
【００７２】
（第２実施形態）
図９は、第２実施形態に係る衛生洗浄装置が有する下部ケースを表す平面図である。
図１０は、図９のＡ−Ａ’断面図である。
図９では、下部ケース４１０が有する各傾斜部の上面における勾配を細い矢印で表し、下部ケース４１０における主な排水経路を白抜きの太い矢印で表している。
【００７３】
図９および図１０に表すように、本実施形態係る衛生洗浄装置１１０において、下部ケース４１０は、第１傾斜部４１１と、第２傾斜部４１２と、第３傾斜部４１３と、第４傾斜部４１４と、第５傾斜部４１５と、第６傾斜部４１６と、第７傾斜部４１７と、排水孔４２０と、排水孔４２１と、を有する。
衛生洗浄装置１１０は、例えば、第２傾斜部４１２および第３傾斜部４１３の上面の傾斜の方向と、第７傾斜部４１７をさらに有する点と、について、衛生洗浄装置１００と相違する。
【００７４】
本実施形態では、第２傾斜部４１２および第３傾斜部４１３の各上面は、後方から前方に向かって下方に傾斜している。従って、第１傾斜部４１１、第２傾斜部４１２、および第３傾斜部４１３のそれぞれの上面は、いずれも、後方から前方に向かって下方に傾斜し、かつ右側方から中央に向かって傾斜している。
【００７５】
また、第２傾斜部４１２上面の後方端部は、第１傾斜部４１１上面の前方端部よりも上方に位置している。このため、第１傾斜部４１１と第２傾斜部４１２との間には段差Ｓ１が設けられている。また、第１傾斜部４１１と段差Ｓ１とによって、排水経路ａが形成されている。第１傾斜部４１１の上に滴下した水は、排水経路ａを流れて、排水孔４２０から排出される。
【００７６】
同様に、第３傾斜部４１３上面の後方端部は、第２傾斜部４１２上面の前方端部よりも上方に位置している。このため、第２傾斜部４１２と第３傾斜部４１３との間には段差Ｓ２が形成されている。また、第２傾斜部４１２と段差Ｓ２とによって、排水経路ｂが形成されている。第２傾斜部４１２の上に滴下した水は、排水経路ｂを流れて、排水孔４２０から排出される。
【００７７】
また、第２傾斜部４１２の前方では、第３傾斜部４１３と下部ケース４１０の内壁とによって、排水経路ｃが形成されている。第３傾斜部４１３の上に滴下した水は、排水経路ｃを流れて、排水孔４２１から排出される。
【００７８】
第５傾斜部４１５および第６傾斜部４１６は、衛生洗浄装置１００と同様に、それぞれ、第２傾斜部４１２と排水孔４２０との間および第３傾斜部４１３と排水孔４２１との間に設けられている。第７傾斜部４１７は、第１傾斜部４１１と排水孔４２０との間に設けられている。第７傾斜部４１７を設けることで、排水経路ａ上の水が、より排水孔４２０に流れやすくなる。
【００７９】
以上の通り、本実施形態に係る衛生洗浄装置１１０では、下部ケース４１０が、第１傾斜部４１１および第２傾斜部４１２を有する。そして、これらの傾斜部の上面は、後方から前方に向けて下方に傾斜しており、第１傾斜部４１１と第２傾斜部４１２との間には段差が設けられている。このような構成によれば、下部ケース４１０の上面を傾斜させつつ、下部ケース４１０の上面が一方向に一様に傾斜している場合に比べて、下部ケース４１０の上面における最高点と最低点との高低差を低減することができる。
このため、本実施形態によれば、第１実施形態と同様に、ケーシング４００内部における排水性を維持したまま、ケーシング４００の裏面の段差を小さくし、衛生洗浄装置の清掃性を向上させることが可能となる。
【００８０】
また、第２傾斜部４１２の前方に第３傾斜部４１３を設けることで、ケーシング４００内部における排水性を維持したまま、ケーシング４００の裏面の段差をより小さくし、衛生洗浄装置の清掃性をさらに向上させることが可能となる。
【００８１】
なお、第４傾斜部４１４を設けることで、下部ケース４１０の上に溜まった水が下部ケース４１０と上部ケース４５０との隙間から漏れる可能性を低減することができる点については、第１実施形態と同様である。
また、第５傾斜部４１５〜第７傾斜部４１７を設けることで、排水経路ａ〜ｃのそれぞれの水を、排水孔４２０および４２１に向けてより流れやすくし、ケーシング４００内部の排水性を向上できる点についても、第１実施形態と同様である。
【００８２】
（第３実施形態）
図１０は、第３実施形態に係る衛生洗浄装置が有する下部ケースを表す平面図である。
図１１は、図１０のＡ−Ａ’断面図である。
図１０では、下部ケース４１０が有する各傾斜部の上面における勾配を細い矢印で表し、下部ケース４１０における主な排水経路を白抜きの太い矢印で表している。
【００８３】
第３実施形態に係る衛生洗浄装置１２０は、例えば、第１傾斜部４１１、第２傾斜部４１２、および第３傾斜部４１３の各上面の傾斜方向が、衛生洗浄装置１１０と相違する。
【００８４】
図１０および図１１に表すように、本実施形態では、第１傾斜部４１１、第２傾斜部４１２、および第３傾斜部４１３の各上面は、前方から後方に向かって下方に傾斜し、かつ右側方から中央に向かって傾斜している。
【００８５】
第１傾斜部４１１の後方は、第１傾斜部４１１の上面よりも上方に向けて突出しており、第１傾斜部４１１と、この突出部と、の間には段差Ｓ１が設けられている。そして、第１傾斜部４１１と段差Ｓ１とによって、排水経路ａが形成されている。第１傾斜部４１１の上に滴下した水は、排水経路ａを流れて、排水孔４２０から排出される。
【００８６】
また、第２傾斜部４１２上面の後方端部は、第１傾斜部４１１上面の前方端部よりも下方に位置している。このため、第１傾斜部４１１と第２傾斜部４１２との間には段差Ｓ２が設けられている。また、第２傾斜部４１２と段差Ｓ２とによって、排水経路ｂが形成されている。第２傾斜部４１２の上に滴下した水は、排水経路ｂを流れて、排水孔４２０から排出される。
【００８７】
同様に、第３傾斜部４１３上面の後方端部は、第２傾斜部４１２上面の前方端部よりも下方に位置している。このため、第２傾斜部４１２と第３傾斜部４１３との間には段差Ｓ３が設けられている。また、第３傾斜部４１３と段差Ｓ３とによって、排水経路ｃが形成されている。第３傾斜部４１３の上に滴下した水は、排水経路ｃを流れて、排水孔４２１から排出される。
【００８８】
以上の通り、本実施形態に係る衛生洗浄装置１２０では、下部ケース４１０が、第１傾斜部４１１および第２傾斜部４１２を有する。そして、これらの傾斜部の上面は、前方から後方に向けて下方に傾斜しており、第１傾斜部４１１と第２傾斜部４１２との間には段差が設けられている。このような構成によれば、第２実施形態と同様に、下部ケース４１０の上面における最高点と最低点との高低差を低減することができる。
このため、本実施形態によれば、第２実施形態と同様に、ケーシング４００内部における排水性を維持したまま、ケーシング４００の裏面の段差を小さくし、衛生洗浄装置の清掃性を向上させることが可能となる。
【００８９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００〜１２０が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９０】
１０ 給水部、  １５ 水側バルブユニット、  ２０ 給湯部、  ２５ 湯側バルブユニット、  ３０ ミキシングバルブ、  １００〜１２０ 衛生洗浄装置、  ２００ 便座、  ３００ 便蓋、  ４００ ケーシング、  ４１０ 下部ケース、  ４１１ 第１傾斜部、  ４１１ａ 第１部分、  ４１１ｂ 第２部分、  ４１２ 第２傾斜部、  ４１３ 第３傾斜部、  ４１４ 第４傾斜部、  ４１５ 第５傾斜部、  ４１６ 第６傾斜部、  ４１７ 第７傾斜部、  ４２０ 排水孔、  ４２１ 排水孔、  ４５０ 上部ケース、  ４７０ ノズル部、  ４７１ 入室検知センサ、  ４７２ 着座検知センサ、  ４７３ ノズル、  ４７４ 吐水口、  ５００ 操作部、  ８００ 便器、  ８０１ ボウル、  Ｓ１〜Ｓ３ 段差、  ａ〜ｃ 排水経路
【図１】
2017115363.tif 000003
【図２】
2017115363.tif 000004
【図３】
2017115363.tif 000005
【図４】
2017115363.tif 000006
【図５】
2017115363.tif 000007
【図６】
2017115363.tif 000008
【図７】
2017115363.tif 000009
【図８】
2017115363.tif 000010
【図９】
2017115363.tif 000011
【図１０】
2017115363.tif 000012
【図１１】
2017115363.tif 000013
【図１２】
2017115363.tif 000014